(57)【特許請求の範囲】
【請求項１】
制御盤に組み込まれた開閉器の起倒形ハンドルに係合する第一の回動部材と、前記制御盤から突出せしめる回動式ハンドル部と、この回動式ハンドル部を回動可能に軸支するフレームと、前記回動式ハンドル部の回動に連動する第二の回動部材と、前記第一および第二の回動部材は互いに応動し合うとともに、その回動中心を異とするように構成された開閉器の外部操作ハンドル装置において、
前記回動式ハンドル部は、前記第二の回動部材に連結され、前記第一の回動部材に連動して回動する操作ハンドルと、この操作ハンドルの施錠孔を開閉するため前記操作ハンドルに設けられた貫通溝の中を移動するロック部材と、前記操作ハンドルが遊嵌される軸受及び回動溝が設けられ、前記フレームに枢着される筒体と、を備え、
前記筒体は、前記回動溝を形成する外壁の最上部及び最下部に排水溝を有し、
前記操作ハンドルは、前記回動溝内を回動する円周壁を有し、該円周壁はＯＦＦ位置における最下部に排水溝を有することを特徴とする回路遮断器の外部操作ハンドル。
【請求項２】
前記円周壁は、ＯＮ位置における最下部に前記貫通溝を有することを特徴とする請求項１に記載の開閉器の外部操作ハンドル。
【発明の詳細な説明】
【技術分野】
【０００１】
この発明は、配電盤や制御盤に組み込まれた配線用遮断器や漏電遮断器等の開閉器を、盤の前面外側から操作する外部操作ハンドル装置に関するものである。
【背景技術】
【０００２】
開閉器によって電路の開閉を行った際に、その電路を開（ＯＦＦ）若しくは閉（ＯＮ）状態を保持させるために、その開閉器の起倒形ハンドルに例えばハンドルロック装置等を装着して、開閉器をＯＦＦ位置若しくはＯＮ位置にロックし、開閉器の操作を拘束することが知られている。これは、例えば、開閉器をＯＦＦ位置に拘束して、開閉器の負荷側電路の点検作業の安全確保や、開閉器をＯＮ位置に拘束して、重要な回路がＯＦＦ操作されないように給電を確保するために用いられる。
【０００３】
一方、開閉器を例えば制御盤等に設置した場合、配線の都合上、制御盤等の奥側に開閉器が収納されて、開閉器の起倒形ハンドルが制御盤等の前面に露出しない構成になる場合がある。このような構成の場合には、制御盤等の前面外側から内部の開閉器を操作できる外部操作ハンドル装置を開閉器自体に付加し、制御盤等の前面外側からその外部操作ハンドル装置を操作して開閉器を開閉操作するように構成される。また、制御盤等の前面が扉になっている場合には、その扉に外部操作ハンドル装置を設け、扉を閉じたとき開閉器の起倒形ハンドルに外部操作ハンドル装置が係合して操作できるように構成される。
【０００４】
勿論、このように外部操作ハンドル装置を開閉器に装着した場合でも、その開閉器の操作を前述の目的で拘束することが必要な場合がある。一般的に、外部操作ハンドル装置は、盤面に取り付けられたフレームと、このフレームに枢着された筒体に手動操作が可能な回動式操作ハンドル部とを備えている。そこで、従来、その回動式ハンドル部にロックプレートを装着し、このロックプレートを用いてハンドル部の操作をロックできるように構成した装置が提案されている。この従来の装置に於けるロックプレートは、回動式ハンドル部の貫通溝に挿入及び引き出し可能に設けられ、回動式ハンドル部から引き出されたときに回動式ハンドル部の回動を阻止し、かつ、そのロックプレートの引き出された部分に設けられた施錠孔に、南京錠等の操作ロック錠が取り付けられてロックされるよう構成されている（例えば、特許文献１参照）。
【先行技術文献】
【特許文献】
【０００５】
【特許文献１】特開２００８−２５１３６０号公報（図１）
【発明の概要】
【発明が解決しようとする課題】
【０００６】
上記のように従来の開閉器の外部操作ハンドルは、盤外に取付けられるので、特に、水に晒される環境に盤を設置した場合、回動式操作ハンドルに設けられロックプレートを挿入及び引き出しする貫通溝を通して、回動式操作ハンドルと筒体との間に水が浸入し、更に侵入した水は、筒体に設けられたロックプレートのロック部が入り込む溝へ溜まり、その溝に溜まった水が溢れると、筒体中心の軸受を通り盤の内部に侵入する恐れがあるという問題があった。
【０００７】
本発明は、盤の内部に水が侵入する恐れがない開閉器の外部操作ハンドル装置を提供することにある。
【課題を解決するための手段】
【０００８】
この発明による開閉器の外部操作ハンドル装置は、制御盤に組み込まれた開閉器の起倒形ハンドルに係合する第一の回動部材と、制御盤から突出せしめる回動式ハンドル部と、この回動式ハンドル部を回動可能に軸支するフレームと、回動式ハンドル部の回動に連動する第二の回動部材と、第一および第二の回動部材は互いに応動し合うとともに、その回動中心を異とするように構成された開閉器の外部操作ハンドル装置において、回動式ハンドル部は、第二の回動部材に連結され、第一の回動部材に連動して回動する操作ハンドルと、この操作ハンドルの施錠孔を開閉するため操作ハンドルに設けられた貫通溝内を移動するロック部材と、操作ハンドルが遊嵌される軸受及び回動溝が設けられ、フレームに枢着される筒体と、を備え、筒体は、回動溝を形成する外壁の最上部及び最下部に排水溝を有し、操作ハンドルは、回動溝内を回動する円周壁を有し、該円周壁はＯＦＦ位置における最下部に排水溝を有するものである。
【発明の効果】
【０００９】
この発明によれば、筒体に設けられた回動溝を形成する外壁の最上部及び最下部に排水溝を有し、操作ハンドルは、前記回動溝内を回動する円周壁を有し、該円周壁はＯＦＦ位置における最下部に排水溝を設けたので、開閉器のＯＦＦ位置およびＯＮ位置のどちらにおいても、操作ハンドルの内側に浸入した水は筒体の内部に浸入することなく効率的に排水されるので、盤内への水の浸入を防止することができる。
【図面の簡単な説明】
【００１０】
【図１】この発明の実施の形態１における開閉器の外部操作ハンドル装置を示す分解斜視図である。
【図２】図１の開閉器の外部操作ハンドル装置を開閉器に取り付けた状態を示す図である。
【図３】図２において回動式ハンドル部のみを示す図である。
【図４】図１において筒体のみを示す正面図である。
【図５】図１において操作ハンドルのみを示す裏面図である。
【図６】図１の外部操作ハンドル装置の排水経路を示す説明図である。
【図７】図１の外部操作ハンドル装置を盤に取り付けた状態での排水経路を示す説明図である。
【図８】開閉器の各種設置状況に応じた外部操作ハンドル装置の設置を説明するための正面図である。
【図９】図８の外部操作ハンドル装置から操作ハンドルを取り除いた状態のＯＮ／ＯＦＦロック時を示す図である。
【図１０】図８の外部操作ハンドル装置から操作ハンドルを取り除いた状態のＯＦＦロック時を示す図である。
【発明を実施するための形態】
【００１１】
実施の形態１．
図１はこの発明の実施の形態１における開閉器の外部操作ハンドル装置を示す分解斜視図、図２はこの装置を開閉器に取り付けた状態を示す図、図３は図１のうち回動式ハンドル部のみを示す図で、（ａ）はロックプレートの押し下げ前、（ｂ）はロックプレートの押し下げ後をそれぞれ示す。また、図４は図１のうち筒体のみを示す正面図で、（ａ）はＯＮ／ＯＦＦロック時を、（ｂ）はＯＦＦロック時をそれぞれ示す。また、図５は図１のうち操作ハンドルのみを示す裏面図、図６は開閉器の外部操作ハンドル装置の排水経路を示す説明図で、（ａ）は開閉器がＯＦＦの時、（ｂ）はＯＮの時、（ｃ）はＴＲＩＰの時、図７は図１の開閉器の外部操作ハンドル装置を盤に取り付けた状態での排水経路を示す説明図である。
【００１２】
図１において、開閉器の外部操作ハンドル装置１０１は大別すると、以下の部品より構成されている。すなわち、開閉器１０２の開閉操作を盤外から手動で行うための操作ハンドル１１を備えた回動式ハンドル部１と、この回動式ハンドル部１のスペーサ１２を回動可能に軸支する軸受１５ａを備えた筒体１５と、この筒体１５が枢着され、筒体１５と共に回動式ハンドル部１を軸支するフレーム２と、スペーサ１２に固着されるカム３と、フレーム２の裏面に設けられた支柱に挿着されたヒネリバネ７の一方端７ａが係合する鉤状の突起４ａを設け、同様にフレーム２の裏面に設けられた支柱に枢着されるハンドルウケ４と、フレーム２の取付凹部２ａに嵌合する取付凸部５ａを備えフレーム２に固着される取付板５と、である。なお、特許請求の範囲で述べている、「第一の回動部材」、「第二の回動部材」とは、それぞれ上述したシンドルウケ４、カム３のことである。
【００１３】
操作ハンドル１１には、南京錠１０３（図３参照）を取り付ける施錠孔１１ａと、この施錠孔１１ａを開閉するためのロックプレート１３を移動可能に保持する貫通溝１１ｂとが設けられている。この貫通溝は、施錠孔１１ａから操作ハンドル１１の裏面に貫通するとともに、施錠孔１１ａからロックプレート１３の操作部１３ｄが位置する箇所である操作凹部１１ｃにも貫通している。なお、特許請求の範囲で述べている、「ロック部材」とは、ロックプレート１３のことである。
【００１４】
続いて、この装置１０１の組立手順を説明する。操作ハンドル１１の貫通溝１１ｂにロックプレート１３を紙面上、下方向から挿入し、このロックプレート１３のバネ受け突起１３ａとスペーサ１２のバネ受け１２ａの間に押しバネ１４を係合させつつ、ねじにより操作ハンドル１１とスペーサ１２を固着させることで、回動式ハンドル部１が形成されている。このとき、ロックプレート１３は紙面上、上方向に付勢されており、施錠孔１１ａはシャッター部１３ｂにより閉鎖されていることになる。
【００１５】
スペーサ１２の径は軸受１５ａの径より若干小さいため、この軸受１５ａに回動式ハンドル部１を遊嵌させることで、前述したロックプレート１３の上方向への付勢と相俟って、回動式ハンドル部１は軸受け１５ａを回動中心として、時計方向ならびに反時計方向への周回転が可能であるが、この回動式ハンドル部１を軸支するにあたり、スペーサ１２の図示しない底面の凸部にカム３の凹部３ａを嵌合させる。ここで、カム３には鍔部３ｂが設けられており、結果的に操作ハンドル１１の回動操作により、鍔部３ｂが図示しないフレーム２の裏面に設けられた支柱と衝突することで、その回動範囲が限定されることになる。
【００１６】
図示しないフレーム２裏面に設けられた支柱にヒネリバネ７を装着したのち続いてハンドルウケ４を枢着させるが、このとき、一方端７ａを鉤状の突起４ａに係合させるとともに、図示しないカム３の裏面に設けられたピン状突起を長孔４ｂに緩嵌させる。また、他方端７ｂは時計方向に付勢し、フレーム２の開口部２ｂより挿入されるロックレバー２ｃに係合させる。この結果、ハンドルウケ４ｂは紙面上、反時計方向に付勢され、長孔４ｂを介して係合移動するカム３、ひいては回動式ハンドル部１も同様に反時計方向に付勢されるが、図１ではこの付勢された状態、すなわちＯＦＦ位置での分解斜視図となっている。なお、上述したロックレバー２ｃは、盤が例えば扉つきの場合、開閉器がＯＮ位置では、その扉が開かないようにするため周知の扉ロック機能を構成する部材の一つであるが、本発明の要部ではないため説明は省略する。
【００１７】
最後に取付凸部５ａと取付凹部２ａを嵌合し、図示しないネジで固着することにより装置１０１が形成される。この装置１０１を図２に示すように、開閉器１０２に装着するには、一旦、開閉器１０２の起倒形ハンドル１０２ａを反時計方向に回動させＯＦＦ状態とし、この起倒形ハンドル１０２ａにハンドルウケ４の開口部４ｃを係合させつつ、取付いた５の取付面５ｂをカバー１０２ｂに当接させ、図示しない取付ネジで開閉器１０２ともども盤内の例えばパネルへ締め付ければよい。このＯＦＦ状態から図２に示すＯＮ状態への装置１０１による操作を、図１を参照しながら説明する。
【００１８】
ＯＦＦ状態では、操作ハンドル１１は、時計の針に例えると９時の位置を指しており、ここから時計方向に回動させ、１２時の位置、すなわち約９０度の回動でＯＮ状態に移行する。操作ハンドル１１が９時の位置では、図示しないカム３の裏面に設けられたピン状突起（以下、ピン状突起とする）は長孔４ｂの紙面上、ほぼ奥行側に位置しており、上述した操作ハンドル１１の時計方向への回動に伴い、ピン状突起は一旦、長孔４ｂのさらに奥行側に達し、そこから手前側に向かうことになる。すなわち、ピン状突起は長孔４ｂ内を左右に移動しているように見えるが、これは、カム３の回動中心がスペーサ１２の中心点であるのに対し、ハンドルウケ４の回動中心が図示しないフレーム２の裏面に設けられた支柱という具合に、その回動中心を異としていることに他ならない。この左右への移動、換言すると、ピン状突起の時計方向への回動に応じて、ピン状突起が長孔４ｂを時計方向に回動させることで、開口部４ｃのＯＮ方向突起４ｄが起倒形ハンドル１０２ａを図２紙面上、時計方向に押動し、開閉器１０２は詳述しない周知のデッドポイントを越えて、図２に示すＯＮ状態へ移行することになる。なお、この図２からも明らかなように、開口部４ｃにはガタが生じているが、これは、前述したように、ハンドルウケ４がヒネリバネ７によって、ＯＦＦ方向に付勢されているからである。
【００１９】
図６（ａ）に示すように、ＯＦＦ状態では、操作ハンドル１１は時計の針に例えると９時の位置を指している。ここから時計方向に回動させ、図６（ｂ）に示すように、１２時の位置、すなわち約９０度の回動でＯＮ状態に移行する。操作ハンドル１１が９時の位置では、ピン状突起は長孔４ｂの紙面上、ほぼ奥行側に位置しており、上述した操作ハンドル１１の時計方向への回動に伴い、ピン状突起は一旦、長孔４ｂのさらに奥行側に達し、そこから手前側に向かうことになる。すなわち、ピン状突起は長孔４ｂ内を左右に移動しているように見える
【００２０】
なお、装置１０１を開閉器１０２に装着するにあたり、一旦、開閉器１０２をＯＦＦにしたが、ＯＮのままとし、装置１０１をＯＮ位置に回動（前述したように操作ハンドル１１を１２時の位置に回動）させた状態で、開閉器１０２に取り付けてもよい。また、この図２のＯＮ状態から、操作ハンドル１１を今度は１２時→９時へと反時計方向に回動させれば、開口部４ｃのＯＦＦ方向突起４ｅ（図１も参照）が起倒形ハンドル１０２ａを反時計方向に回動、さらにはデッドポイントを越えＯＦＦ状態へと移行する。
【００２１】
このＯＮ、もしくはＯＦＦでの拘束、すなわちロック機構について図３に基づき説明する。ロックプレート１３は前述した通り、押しバネ１４により上方向に付勢されているが、（ａ）に示すように、ＯＮ状態では、鉤状のロック部１３ｃの紙面上、下部にあたる部分が空洞（この空洞がＯＮ施錠穴１５ｂ（図１も参照）に相当）となっている。したがって、（ｂ）に示すように、ロック部１３ｃがＯＮ施錠穴１５ｂに入り込むことが可能となり、操作部１３ｄの押し下げにより、施錠孔１１ａはシャッター部１３ｂでの閉鎖が解除されることになる。この閉鎖解除により、施錠孔１１ａに南京錠１０３にて施錠することで、いわゆる「ＯＮロック」が可能となる。
【００２２】
前述したＯＦＦ操作後の「ＯＦＦロック」についても、概ね前述の「ＯＮロック」と同様であるが、ＯＦＦ施錠穴１５ｃは図１からもわかるように、フレーム２の径方向の内側で時計方向の終端にあたる部分に突起１５ｃ１を設けている。つまり、「ＯＦＦロック」の場合、「ＯＮロック」が丁度１２時の位置で施錠することに対し、９時の位置からさらに反時計方向に、わずかではあるがこの突起１５ｃ１分、回動させ施錠することが必要となるが、この理由は後述する。なお、突起１５ｃ１分の回動後、ロック部１３ｃを押し下げれば、操作ハンドル１１はＯＦＦ位置、すなわち９時の位置に戻すことが可能である。これは、前述したように、ロック部１３ｃが鉤状になっているからであり、このことで、例えば、南京錠１０３を解除すると直ちに施錠孔１１ａが閉鎖されるＯＮ時と違い、施錠孔１１ａの閉鎖解除は継続されるものの、施錠孔１１ａを閉鎖するには、再度、突起１５ｃ１分の回動（この回動が後述するリセット操作に相当する）が必要となる（わかり易く言うと、ＯＮロックが自己復帰に対し、ＯＦＦロックは自己保持である）。
【００２３】
また、筒体１５の取り付け方向を、図４（ａ）方向で取付けることで前述したＯＮロック、ＯＦＦロックの両方の機能を可能とした構成とし（以下、ＯＮ／ＯＦＦロックとする）、図４（ａ）取付け方向を１８０度変え、図４（ｂ）方向で取付けることで前述したＯＦＦロックのみを可能とした構成となり（以下、ＯＦＦロックとする）、一種類の筒体１５でＯＮ／ＯＦＦロック、ＯＦＦロックに対応できる。
【００２４】
再び図２に戻り、開閉器１０２が配線用遮断器の場合、過電流あるいは短絡電流遮断によるトリップモードが存在する（なお、便宜上、１０２を以後、遮断器と称す）。このトリップモードでは起倒形ハンドル１０２ａはＯＮとＯＦＦのほぼ中間に位置するとともに、この起倒形ハンドル１０２ａの反時計方向の回動によりハンドルウケ４も若干反時計方向に回動され、この「若干の回動分」が操作ハンドル１１のＯＮとＯＦＦの間の、いわゆる「トリップ」位置に至る、反時計方向への回動を促していることになる。なお、このとき、「ＯＮロック」状態であれば、言うまでもなく操作ハンドル１１はＯＮ位置に静止（拘束）しているが、この拘束が、遮断器１０２のトリップモード動作に何らの影響を与えることがないのは周知の通りである。
【００２５】
このトリップ位置からＯＮ位置に戻すには、一旦、操作ハンドル１１をＯＦＦ位置まで回動させ、そこから、さらに反時計方向に追い込むことで、遮断器１０２の図示および詳述しない開閉機構部が、いわゆる投入可能状態（一般に、これをリセット操作と言う）となり、これ以降は、前述したＯＮ操作を行えばよい。
【００２６】
次に本発明の要部である排水構造について説明する。
図４に示すように、フレーム２の上部に取付けられる筒体１５には、操作ハンドル１１が遊嵌される回動溝１５ｆが円周状に設けられており、この回動溝１５ｆを形成する外壁１５ｇの最下部と最上部に、それぞれ第１の排水溝１５ｄ、第２の１５ｅが設けられている。最下部の溝が第１の排水溝１５ｄであり、最上部の溝が第２の排水溝１５ｅである。
【００２７】
また、図５に示すように、開閉器１０２の開閉操作を盤外から手動で行うための操作ハンドル１１には、回動溝１５ｆ内を回動する円周壁１１ｅが設けられており、この円周壁１１ｅには、さらにＯＦＦ位置における最下部に第３の排水溝１１ｄが設けられている。
よって、図４（ａ）に示すＯＮ／ＯＦＦロックのときには、操作ハンドル１１がＯＦＦ位置においては（図６（ａ）を参照）、第１の排水溝１５ｄと第３の排水溝１１ｄとが重なることとなり、効率的な排水が可能となっている。一方、操作ハンドル１１がＯＮ位置においては（図６（ｂ）を参照）、ロックプレート１３が収まるように操作ハンドル１１に設けられた貫通溝１１ｂと第１の排水溝１５ｄとが重なることとなり、効率的な排水が可能となっている。
【００２８】
また、図４（ｂ）に示すＯＦＦロックのときには、筒体１５が１８０度回転して設置されるので、操作ハンドル１１がＯＦＦ位置において、第２の排水溝１５ｅと第３の排水溝１１ｄとが重なることとなり、同じく排水性が向上し効率的に排水が可能となっている。
【００２９】
また、ＴＲＩＰ位置では図６（ｃ）に示すように、筒体１５に設けられた排水溝１５ｄ若しくは１５ｅと操作ハンドル１１に設けられた第３の排水溝１１ｄの位置が段違いになることで、排水できる構造としている。
【００３０】
次に開閉器の各種取り付け状態に応じた外部操作ハンドル装置の取付について説明する。図８は、開閉器の各種設置状況に応じた外部操作ハンドル装置の設置を説明するための正面図で、（ａ）は開閉器の電源側を左側にした状態で開閉器を取付けた場合、（ｂ）は開閉器の電源側を上側にした状態で開閉器を取付けた場合、（ｃ）は開閉器の電源側を右側にした状態で開閉器を取付けた場合、図９は図８において操作ハンドル１１を取り除いた状態のＯＮ／ＯＦＦロック時を示す図で、（ａ）は開閉器の電源側を左側にした状態で開閉器を取付けた場合、（ｂ）は開閉器の電源側を上側にした状態で開閉器を取付けた場合、（ｃ）は開閉器の電源側を右側にした状態で開閉器を取付けた場合、図１０は図８において操作ハンドル１１を取り除いた状態のＯＦＦロック時を示す図で、（ａ）は開閉器の電源側を左側にした状態で開閉器を取付けた場合、（ｂ）は開閉器の電源側を上側にした状態で開閉器を取付けた場合、（ｃ）は開閉器の電源側を右側にした状態で開閉器を取付けた場合である。
【００３１】
開閉器の盤への取付けは、電源側を上側にした状態での取付けが一般的であるが、電源側を左側もしくは右側にした状態で開閉器を盤に取付ける場合もある。
開閉器の電源側を左側もしくは右側方向にして開閉器１０２を取付ける時、外部操作ハンドル１１の回動部材であるカム３とハンドルウケ４、開閉器に固着する取付板５、及びこの取付板５に嵌合するフレーム２は、開閉器１０２に取付けられているので、開閉器１０２と一緒に取付方向が変わることとなる。
【００３２】
一方、筒体１５はフレーム２上で回転させることにより、フレーム２の上面に設けられた突部２ｄと図示しない操作ハンドル１１の裏面の凹部が９０度ごとの４方向で固定でき、筒体１５は常にＯＮ位置が上側にくるように取付けることができる。よって、筒体１５及び操作ハンドル１１に設けられた各排水溝の位置関係はどのような場合においても変わることがない。すなわち、ＯＮ／ＯＦＦロック時には、図９に示すように、操作ハンドル１１がＯＦＦ位置では第１の排水溝１５ｄと第３の排水溝１１ｄとが重なることとなり、操作ハンドル１１がＯＮ位置ではロックプレート１３が収まるように操作ハンドル１１に設けられた貫通溝１１ｂと第１の排水溝１５ｄとが重なることとなる。また、ＯＦＦロック時には、図１０に示すように、筒体１５が１８０度回転して設置されるので、操作ハンドル１１がＯＦＦ位置で、第２の排水溝１５ｅと第３の排水溝１１ｄとが重なることとなる。
【００３３】
本実施の形態によれば、筒体１５に設けられた回動溝１５ｆを形成する外壁１５ｇの最下部に第１の排水溝１５ｄを、外壁の最上部に第２の排水溝１５ｅを、有しているので、開閉器１０２のＯＦＦ位置及びＯＮ位置のどちらでも操作ハンドル１１の内側に浸入した水は筒体１５の内部に浸入することなく効率的に排水され、盤内への水の浸入を防止することができる。
【００３４】
また、操作ハンドル１１は回動溝１５ｆ内を回動する円周壁１１ｅを有し、この円周壁１１ｅにはＯＦＦ位置における最下部に第３の排水溝１１ｄが設けられているので、開閉器１０２のＯＦＦ位置では、筒体１５に設けられた第１の排水溝１５ｄ若しくは第２の排水溝１５ｅと操作ハンドル１１に設けられた第３の排水溝１１ｄの位置が合致、ＯＮ位置では、筒体１５に設けられた排水溝１５ｄ若しくは１５ｅとロックプレート１３が収まるように操作ハンドル１１に設けられた貫通溝１１ｂの位置が合致し、操作ハンドル１１の内側に浸入した水は更に、効率的に排水され、盤内への水の浸入を防止することができる。
【００３５】
また、筒体１５を１８０度回転させ取り付けることができるので、ＯＮ／ＯＦＦロック、及びＯＦＦロックの機構を同一の部材の設定変更により得ることができる。
【００３６】
また、外部操作ハンドルは常に０Ｎ位置が上にくるよう組み立てられるので、各排水溝の位置関係が変わることがなく、開閉器１０２の横取り付け時にも縦取り付け時と同様の排水性を確保でき、盤内への水の浸入を防止することができる。
【符号の説明】
【００３７】
１  回転式ハンドル部、２  フレーム、３  カム、４  ハンドルウケ、
１１  操作ハンドル、１１ｄ  第３の排水溝、１１ｅ  円周壁、
１２  スペーサ、１３  ロックプレート、
１５  筒体、１５ｄ  第１の排水溝、１５ｅ  第２の排水溝、１５ｆ  回動溝、
１５ｇ  外壁、１０１  外部操作ハンドル装置。
【図１】
0005741381.tif 000002
【図２】
0005741381.tif 000003
【図３】
0005741381.tif 000004
【図４】
0005741381.tif 000005
【図５】
0005741381.tif 000006
【図６】
0005741381.tif 000007
【図７】
0005741381.tif 000008
【図８】
0005741381.tif 000009
【図９】
0005741381.tif 000010
【図１０】
0005741381.tif 000011